(57)【要約】【課題】デジタルカメラ等で取り扱うｓＹＣＣ−ＪＰＥＧ画像データをファクシミリ送信した場合に、受信側で縮小されてプリントされないようにしたカラー画像通信装置を提供する。【解決手段】今から送るデータがｓＹＣＣ−ＪＰＥＧ画像データであるか判定し（ＳＴ１）、ＮＯなら、従来の送信手順を実行する（ＳＴ７）。ＹＥＳなら、その画像データの縦横比を判定し（ＳＴ２）、縦長の場合は、そのまま画像データを送信する（ＳＴ６）。横長の場合は、画像データを回転させて送るのか判定し（ＳＴ３）、回転させないときは、そのまま画像データを送信する（ＳＴ６）。回転させるときは、画像データを９０度回転させ（ＳＴ４）、ｓＹＣＣ−ＪＰＥＧ画像データのファイルにおける付加情報領域に画像データを９０度回転させたことを追記し（ＳＴ５）、９０度回転後の画像データを送信する（ＳＴ６）。【選択図】      図３
2004166015.tif 000002
【特許請求の範囲】
【請求項１】
ファクシミリ通信手順に則したカラー画像データ、及びｓＹＣＣ−ＪＰＥＧ画像データを送信する送信手段を備えるカラー画像通信装置であって、
送信する画像データがｓＹＣＣ−ＪＰＥＧ画像データである場合は、その画像データが縦長か横長か判断し、横長であるときは、そのｓＹＣＣ−ＪＰＥＧ画像データを９０度回転させて縦長にしてから送信することを特徴とするカラー画像通信装置。
【請求項２】
前記画像データを９０度回転させて送信した場合は、当該ｓＹＣＣ−ＪＰＥＧ画像データファイルの付加情報領域にその旨を付加することを特徴とする請求項１記載のカラー画像通信装置。
【発明の詳細な説明】
【０００１】
【発明の属する技術分野】
この発明は、ファクシミリ装置、コピー装置、それらの複合機等に使用されるカラー画像通信装置に関する。
【０００２】
【従来の技術】
ファクシミリ装置では、通常は縦長の用紙を主に対象としている。すなわち、Ａ４の原稿ではこれを縦長にして原稿の画像を読み取って画像データを送信しているのが一般的である。
【０００３】
これに対して、デジタルカメラ等で取り扱う画像データは、ｓ（スタンダード）ＹＣＣ色空間のＪＰＥＧ画像データ（以下、ｓＹＣＣ−ＪＰＥＧ画像データという）であり、このｓＹＣＣ−ＪＰＥＧ画像データは概して横長の場合が多い。これは、モニタ、ＴＶ等の画像データの表示機器が縦横比率となっており、それに対応しているからである。
【０００４】
このため、その横長のｓＹＣＣ−ＪＰＥＧ画像データをファクシミリ装置により送信する場合、その画像データは受信側装置の印字幅能力に応じてデータ幅の比率に従って縮小されることが多い。つまり、受信側でプリントされる画像は歪に縮小されたものになってしまう。
【０００５】
このような問題点を解決するために、原稿の縦サイズ及び横サイズと受信側の記録紙サイズとの比較結果に基づいて、原稿画像の縦横の向きを９０度回転する回転処理を行い、回転処理後の原稿画像を受信側のファクシミリ装置に送信するとともに、原稿画像を回転処理した場合は原稿の縦サイズ、回転処理しない場合は原稿の横サイズを受信側のファクシミリ装置に通知する技術がある（例えば、特許文献１参照）。
【０００６】
また、原稿を読み取るときに、原稿センサで原稿の大きさと読取方向を検出して圧縮された原稿の画像データとともに原稿蓄積メモリに格納し、送信するとき、原稿蓄積メモリに記憶された画像データを１ページ分ずつ伸長して送信画像データとしてページメモリに格納し、回転判断部で送信先受信機性能と原稿蓄積メモリに記憶された原稿の大きさと読取方向から送信画像データを回転すると判断したとき、回転処理部により送信画像データを所定角度回転させ、画像圧縮伸長部で圧縮して送信する技術がある（例えば、特許文献２参照）。
【０００７】
更に、画像を記録紙に合わせて回転させ、回転させたことを明示する回転情報を画像データに付加して記録するファクシミリ装置がある（例えば、特許文献３参照）。
【０００８】
【特許文献１】
特公平７−９５８０２号公報
【０００９】
【特許文献２】
特開平８−２７９８９５号公報
【００１０】
【特許文献３】
特開平９−３０７７４３号公報
【００１１】
【発明が解決しようとする課題】
しかしながら、上記特許文献１記載の技術によれば、原稿画像の縦横の向きを９０度回転させているが、対象としている画像データは通常のファクシミリ通信で取り扱う画像データであり、デジタルカメラ等のｓＹＣＣ−ＪＰＥＧ画像データではなく、その示唆もない。
【００１２】
特許文献２記載の技術でも、同様にｓＹＣＣ−ＪＰＥＧ画像データを対象としていない。
【００１３】
また、特許文献３記載の技術も、ｓＹＣＣ−ＪＰＥＧ画像データについての記載はない。しかも、この技術は、受信画像が回転させることにより記録紙に記録可能な画像であるときは、受信画像を回転させて記録紙に記録するものであり、画像データの送信に関して画像を回転させるものではない。
【００１４】
この発明は、そのような実状に着目してなされたものであって、デジタルカメラ等で取り扱うｓＹＣＣ−ＪＰＥＧ画像データをファクシミリ送信した場合に、受信側で縮小されてプリントされないようにしたカラー画像通信装置を提供することを目的としている。
【００１５】
【課題を解決するための手段】
前記目的を達成するために、この発明の請求項１記載のカラー画像通信装置は、ファクシミリ通信手順に則したカラー画像データ、及びｓＹＣＣ−ＪＰＥＧ画像データを送信する送信手段を備えるものであって、送信する画像データがｓＹＣＣ−ＪＰＥＧ画像データである場合は、その画像データが縦長か横長か判断し、横長であるときは、そのｓＹＣＣ−ＪＰＥＧ画像データを９０度回転させて縦長にしてから送信することを特徴とする。
【００１６】
この装置では、送信する画像データがｓＹＣＣ−ＪＰＥＧ画像データであり、しかもその画像データが横長であるときは、そのｓＹＣＣ−ＪＰＥＧ画像データを９０度回転させて縦長にしてから送信するので、受信側でプリントした場合、画像データが縮小されることはない。
【００１７】
なお、画像データを９０度回転させて送信した場合は、当該ｓＹＣＣ−ＪＰＥＧ画像データファイルの付加情報領域にその旨を付加することにより、受信側でｓＹＣＣ−ＪＰＥＧ画像データの取扱いの利便性がより向上する。
【００１８】
【発明の実施の形態】
以下、実施の形態により、この発明を更に詳細に説明する。
【００１９】
その実施形態に係るカラー画像通信装置の構成の一例を示すブロック図を図１に示す。このカラー画像通信装置は、コピー装置とファクシミリ装置を兼用する複合機として構成したものである。
【００２０】
図１において、主制御部としてのＣＰＵ（中央処理装置）１は、当該装置を構成する各部を統括制御する機能を有する。
【００２１】
このＣＰＵ１には、ＮＣＵ（網制御回路：Ｎｅｔｗｏｒｋ  Ｃｏｎｔｒｏｌ  Ｕｎｉｔ）２、ＭＯＤＥＭ３、ＲＯＭ４、ＲＡＭ５、画像メモリ６、表示部７、操作部８、画像読み取り部９、画像記録部１０、ＣＯＤＥＣ（符号化・復号器：Ｃｏｄｅｒ  ａｎｄ  Ｄｅｃｏｄｅｒ  ）１１、ＬＡＮ  Ｉ／Ｆ１２がバス１３を介して接続されている。
【００２２】
ＮＣＵ２は、ＣＰＵ１により制御されて、通信回線である電話回線網（ＰＳＴＮ）１４との接続を制御するとともに、通信相手の電話番号（ＦＡＸ番号を含む）に応じたダイヤルパルスを送出する機能及び着信を検出する機能を有する。ＭＯＤＥＭ３は、ＩＴＵ（国際電気通信連合）−Ｔ勧告Ｔ．３０、Ｔ．４に従ったファクシミリ伝送制御手順に基づいて、Ｖ．１７、Ｖ．２７ｔｅｒ、Ｖ．２９等に従った送信データの変調及び受信データの復調を行うが、Ｖ．８、Ｖ．３４を用いたＶ．３４ＦＡＸにも適用可能である。具体的には本来はデジタル信号である送信データをアナログの音声信号に変調してＮＣＵ２を介して電話回線網１４に送出し、また逆に電話回線網１４からＮＣＵ２を介して受信したアナログの音声信号をデジタル信号に復調する。
【００２３】
ＲＯＭ４は、この装置全体の動作を制御するためのプログラム等を記憶する。ＲＡＭ５は、ＣＰＵ１による制御に必要なデータ及び制御動作時に一時記憶が必要なデータ等を記憶する。画像メモリ６は、画像読み取り部９で読み取った画像データを圧縮状態で記憶し、また外部から電話回線網１４とＭＯＤＥＭ３を介して受信した画像データも圧縮状態で記憶する。
【００２４】
表示部７は、アイコン、キーボタンの表示や、データの送受信に必要なメッセージ内容、操作部８の操作により入力された電話番号やＦＡＸ番号等を表示する。この表示部７としては、ＣＲＴディスプレイやＬＣＤ（液晶表示装置）が用いられる。操作部８は、電話番号やＦＡＸ番号を入力するためのテンキー、相手先の電話番号やＦＡＸ番号をワンタッチで呼び出すワンタッチキー、相手先の電話番号やＦＡＸ番号を短縮登録する登録キー、ＦＡＸやコピーの開始等を指示するスタートキー、ＦＡＸモード・コピーモード・スキャナモード等の複数の動作モードについてのモード切替えを行うための動作モード切替キー等を有する。
【００２５】
画像読み取り部９は、ＦＡＸ送信するとき又はコピーするときに、原稿の画像データを光学的に走査して読み取る。この画像読み取り部９は、カラー画像の読み取りも可能である。画像記録部１０は、電子写真方式のプリンタよりなり、受信画像データやコピー動作において画像読み取り部９で読み取った原稿の画像データを記録紙上に記録する。この画像記録部１０は、カラープリントも可能である。
【００２６】
ＣＯＤＥＣ１１は、読み取った画像データを送信又は記憶するためにＭＨ、ＭＲ、ＭＭＲ方式等により符号化（エンコード）し、受信画像データを画像記録部１０により記録するために復号（デコード）する。ＬＡＮ  Ｉ／Ｆ１２は、ＰＣ（パーソナルコンピュータ）、その他のＬＡＮ（ローカルエリアネットワーク）１５を構成する外部機器と接続され、ここを介して外部機器とのデータ授受を行う。
【００２７】
このように構成した複合機は、送信する画像データがｓＹＣＣ−ＪＰＥＧ画像データである場合は、その画像データが縦長か横長か判断し、横長であるときは、そのｓＹＣＣ−ＪＰＥＧ画像データを９０度回転させて縦長にしてから送信することが特徴である。また、画像データを９０度回転させて送信した場合は、当該ｓＹＣＣ−ＪＰＥＧ画像データファイルの付加情報領域にその旨を付加することとしている。
【００２８】
ここで、ｓＹＣＣ−ＪＰＥＧ画像データのファイル（ＪＰＥＧファイル）について説明する。図２に示すように、デジタルカメラ等のカラー画像データファイルＦＪは、デジタルカメラで撮影した撮影画像（ｓＹＣＣ−ＪＰＥＧ画像データ）ＦＪ１と、撮影画像のサムネイル（画像データの縮小版）ＦＪ２と、付加情報ＦＪ３とからなり、これらＦＪ１，ＦＪ２，ＦＪ３を含めてＪＰＥＧファイルＦＪとしている。付加情報ＦＪ３としては、撮影者と撮影者に関連する情報、撮影時刻、撮影機の関連データ、ファックスの送信元の情報等が格納されている。この付加情報ＦＪ３に、画像データを９０度回転させた情報も格納する。
【００２９】
次に、このカラー画像通信装置における画像データの送信までの動作について、図３のフロー図を参照して説明する。まず、ステップＳＴ１において、今から相手（被呼先）に送信する画像データはｓＹＣＣ−ＪＰＥＧ画像データであるか判定し、そうでないときは、ステップＳＴ７において、従来の送信手順を実施する。
【００３０】
ｓＹＣＣ−ＪＰＥＧ画像データである場合は、ステップＳＴ２において、その画像データの縦横比はどうなのか判定し、縦長のときは、つまり通常の画像データの送信で対応できるのであれば、ステップＳＴ６に移行し、そのまま画像データを被呼先に送信し、当該処理を終了する。
【００３１】
一方、画像データの縦横比が横長の場合は、ステップＳＴ３において、横長の画像データであっても回転させずに送信したい場合に対応するために、画像データを回転させて送るのか判定し、回転の必要がないときは、ステップＳＴ６に移行し、そのまま画像データを被呼先に送信し、当該処理を終了する。
【００３２】
画像データを回転させる必要があるときは、ステップＳＴ４において、画像データを９０度回転させる。更に、ステップＳＴ５において、前記したようにｓＹＣＣ−ＪＰＥＧ画像データのファイルＦＪにおける付加情報ＦＪ３に、画像データを９０度回転させた情報を付加する。その後、ステップＳＴ６において、９０度回転後の画像データを被呼先に送信し、当該処理を終了する。
【００３３】
次に、ｓＹＣＣ−ＪＰＥＧ画像データの送信処理について、図４のフロー図を参照して説明する。まず、ステップＳＴ１１において、被呼先にダイヤルし、ステップＳＴ１２において、被呼先からのデジタル識別信号（ＤＩＳ：Ｄｉｇｉｔａｌ    Ｉｄｅｎｔｉｆｉｃａｔｉｏｎ  Ｓｉｇｎａｌ  ）を受信する。そして、ステップＳＴ１３において、そのＤＩＳ信号より被呼先がｓＹＣＣ−ＪＰＥＧ画像データの受信能力が有るか判定し、無い場合は、ステップＳＴ１９において、従来の送信手順を実施する。
【００３４】
被呼先がｓＹＣＣ−ＪＰＥＧ画像データの受信能力を有する場合は、ステップＳＴ１４において、デジタル命令信号（ＤＣＳ：Ｄｉｇｉｔａｌ  Ｃｏｍｍａｎｄ  Ｓｉｇｎａｌ）を送信するとともに、トレーニング信号を送信する。続いて、ステップＳＴ１５において、被呼先からの受信準備確認信号（ＣＦＲ：Ｃｏｎｆｉｒｍａｔｉｏｎ  ｔｏ  Ｒｅｃｅｉｖｅ  ）を受信した後、ステップＳＴ１６において、ｓＹＣＣ−ＪＰＥＧ画像データを送信する。そして、ステップＳＴ１７において、後手順処理を行ってから、ステップＳＴ１８において、回線を断ち、当該処理を終了する。
【００３５】
【発明の効果】
以上説明したように、請求項１記載の発明によれば、送信する画像データがｓＹＣＣ−ＪＰＥＧ画像データであり、しかもその画像データが横長であるときは、そのｓＹＣＣ−ＪＰＥＧ画像データを９０度回転させて縦長にしてから送信するので、受信側でプリントした場合、画像データが縮小されることはない。
【００３６】
また、請求項２記載の発明によれば、受信側でｓＹＣＣ−ＪＰＥＧ画像データの取扱いの利便性がより向上する。
【図面の簡単な説明】
【図１】実施形態に係るカラー画像通信装置（コピー装置とファクシミリ装置を兼用する複合機）の構成の一例を示すブロック図である。
【図２】同カラー画像通信装置における送信するカラー画像データファイル（ＪＰＥＧファイル）の概略構成を示す図である。
【図３】同カラー画像通信装置における画像データの送信までの動作を示すフロー図である。
【図４】同カラー画像通信装置におけるｓＹＣＣ−ＪＰＥＧ画像データの送信動作を示すフロー図である。
【符号の説明】
１        主制御部（ＣＰＵ）
２        ＮＣＵ
３        ＭＯＤＥＭ
４        ＲＯＭ
５        ＲＡＭ
６        画像メモリ
７        表示部
８        操作部
９        画像読み取り部
１０      画像記録部
１１      ＣＯＤＥＣ
１２      ＬＡＮ  Ｉ／Ｆ
１３      バス
１４      電話回線網
１５      ＬＡＮ
ＦＪ      カラー画像データファイル（ＪＰＥＧファイル）
ＦＪ３    付加情報
【図１】
2004166015.tif 000003
【図２】
2004166015.tif 000004
【図３】
2004166015.tif 000005
【図４】
2004166015.tif 000006